(57)【要約】【課題】缶、ビン、ペットボトル等の封入容器飲料およびカップ飲料の両方の提供を可能とする複合自動販売機に関して、購入者が適温に達していない缶、ビン、ペットボトル等の封入容器飲料を購入した際、適温の飲料を購入者に提供する。【解決手段】封入容器飲料とカップ飲料の両方を販売できる複合自動販売機において、購入者が封入容器飲料選択後、該当商品を搬出し、それが適温でなければカップ飲料を販売する自動販売機側で氷入りカップを搬出することで、適温に達していない商品を適温にして購入者に提供することができる。【選択図】  図１
2004295615.tif 000002
【特許請求の範囲】
【請求項１】
封入容器飲料と機内で調整した飲料の両方を提供可能とする複合自動販売機において、購入商品の選択を行う商品選択手段と、購入された封入容器飲料の搬出を行う封入容器飲料搬出手段と、封入容器飲料の温度を検知する温度検知手段と、氷入りカップの搬出を行うカップ搬出手段および氷搬出手段と、前記商品選択手段から出力される選択信号に従い前記カップ搬出手段および氷搬出手段を動作させる信号を出力する演算制御部とから構成され、この演算制御部は、前記商品選択手段から出力される信号に基づき購入された封入容器飲料が適温に達しているかどうかを前記温度検知手段により判定し、適温に達していなければ前記カップ搬出手段と前記氷搬出手段に信号を出力し、氷入りカップを搬出することを特徴とした複合自動販売機。
【請求項２】
封入容器飲料搬出後に押すことでカップ搬出手段および氷搬出手段を停止させる信号を出力するキャンセルボタンを備え、氷入りカップ搬出機能を停止することができる請求項１に記載の複合自動販売機。
【請求項３】
氷入りカップ搬出機能を有効にする封入容器飲料を任意に設定できる設定手段と前記設定手段で設定された情報を記憶する設定記憶手段を備え、自販機管理者の意に促した商品提供のできる請求項２に記載の複合自動販売機。
【請求項４】
カップ飲料を販売する自動販売機側の氷の残量が所定量以下になれば氷入りカップ搬出機能を停止する氷残量検知手段を備え、カップ飲料の販売に支障をきたすことなく氷入りカップの搬出ができる請求項３に記載の複合自動販売機。
【請求項５】
カップ飲料を販売する自動販売機側の氷の残量の所定量を任意に設定できる氷残量設定手段を備えたことを特徴とする請求項４に記載の複合自動販売機。
【請求項６】
氷入りカップ搬出機能の有効時間帯と無効時間帯を設定できるタイマー手段を備えたことを特徴とする請求項５に記載の複合自動販売機。
【発明の詳細な説明】
【０００１】
【発明の属する技術分野】
本発明は、封入容器飲料およびカップ飲料の両方を提供可能とする複合自動販売機に関するものである。
【０００２】
【従来の技術】
飲料自動販売機としては、缶、ビン、ペットボトル等の封入容器飲料を販売する自動販売機と１杯づつ紙または樹脂製カップに調合して販売するカップ式自動販売機などがある。いずれの自動販売機も冷却、もしくは加温した商品を販売することができる。またカップ式自動販売機では、冷たい飲料には氷を加えるサービスもできる。
【０００３】
これらの自動販売機を通常は、各々別々に設置し販売する方法が一般的あるが、設置場所等の制約で１台しか設置できないロケーションでは、従来の封入容器飲料およびカップ飲料の両方を提供可能とする複合自動販売機、すなわち封入容器飲料とカップ飲料の冷却部と加熱部の共有化によって省エネルギー化と省スペース化を可能とした複合自動販売機がある（例えば、特許文献１参照。）。
【０００４】
また、販売数が多いロケーション、例えば高速道路のサービスエリア等では、一度にたくさんのお客が集中することと、持ち運び良い封入容器飲料が好まれる傾向にある。
【０００５】
【特許文献１】
特開２００１−２８３３１７号公報
【０００６】
【発明が解決しようとする課題】
しかしながら、特に夏場には販売数が多いことから、しばしば売切れ状態となり、１日に数回補充作業をする必要がある。補充された封入容器飲料は冷却、加温の適温となるまで時間がかかるために、飲料が適温になるまで、その間はタイマー機能にて補充された飲料は売切れ状態としている。
【０００７】
販売需要がありながら、補充した封入容器飲料を直ぐに適温販売できないという課題を有していた。
【０００８】
また、タイマー機能を使用せず、補充後に直ぐ販売した場合には、適温とならない商品を販売するという課題を有していた。
【０００９】
そこで本発明は、上記課題に鑑み、補充した封入容器飲料を直ちに、適温飲料として販売できる自動販売機を提供することを目的としている。
【００１０】
【課題を解決するための手段】
本発明の請求項１に記載の発明は、封入容器飲料と機内で調整した飲料の両方を提供可能とする複合自動販売機において、購入商品の選択を行う商品選択手段と、購入された封入容器飲料の搬出を行う封入容器飲料搬出手段と、封入容器飲料の温度を検知する温度検知手段と、氷入りカップの搬出を行うカップ搬出手段および氷搬出手段と、前記商品選択手段から出力される選択信号に従い前記カップ搬出手段および氷搬出手段を動作させる信号を出力する演算制御部とから構成され、この演算制御部は、前記商品選択手段から出力される信号に基づき購入された封入容器飲料が適温に達しているかどうかを前記温度検知手段により判定し、適温に達していなければ前記カップ搬出手段と氷搬出手段に信号を出力し、氷入りカップを搬出することで購入者に適温の飲料を提供する作用を有する。
【００１１】
請求項２に記載の発明は、請求項１に記載の発明に、さらに、封入容器飲料搬出後に押すことでカップ搬出手段および氷搬出手段を停止させる信号を出力するキャンセルボタンを備えたものであり、キャンセルボタンを押すことで、氷搬出手段を無効にする作用を有する。
【００１２】
請求項３に記載の発明は、請求項２に記載の発明に、さらに、氷入りカップ搬出機能を有効にする封入容器飲料を任意に設定できる設定手段と前記設定手段で設定された情報を記憶する設定記憶手段を備えることで、自販機管理者が特に販売したい飲料の提供を優先させる作用を有する。
【００１３】
請求項４に記載の発明は、請求項３に記載の発明に、さらに、カップ飲料を販売する自動販売機側の氷の残量が所定量以下になれば、氷入りカップ搬出機能を停止する氷残量検知手段を備えることで、カップ飲料の販売時に氷切れ等の支障をきたすことなく氷入りカップ飲料を販売する作用を有する。
【００１４】
請求項５に記載の発明は、請求項４に記載の発明に、さらに、カップ飲料を販売する自動販売機側の氷の残量の所定量を任意に設定できる氷残量設定手段を備えることで、季節に応じた氷残量を設定することができ、カップ飲料の販売に支障をきたすことなく、さらにカップ飲料販売の多少に関わらず無駄なく氷入りカップを搬出する作用を有する。
【００１５】
請求項６に記載の発明は、請求項５に記載の発明に、さらに、一日の時間を計数し氷入りカップ搬出機能を無効にするタイマー手段を備えることにより、指定した時間以外では、氷を供給することなく、有効な時間帯に氷入りカップを搬出する作用を有する。
【００１６】
【発明の実施の形態】
以下、本発明の複合自動販売機の実施の形態について、図面を参照しながら説明する。
【００１７】
（実施の形態１）
図１は本発明の実施の形態１による複合自動販売機の機能ブロック図である。図２は、同実施の形態の動作を示すフローチャートである。
【００１８】
図１、図２において、貨幣識別装置１は投入された貨幣を識別する装置であり、商品選択手段２は購入商品の選択を行う手段である。封入容器飲料搬出手段３は購入された封入容器飲料の搬出を行う、温度検知手段４は搬出された封入容器飲料の温度を検知する手段で、販売直前の商品の容器に接するように配置した温度センサで直接測定する方法や庫内の雰囲気温度を測定する温度センサで間接的に測定する方法がある。カップ搬出手段５はカップ自販機側で収納されているカップの搬出を行う、氷搬出手段６はカップ自販機側で製氷された氷の搬出を行うものである。演算制御部７ａは商品購入時に商品温度の判定を行い氷入りカップを提供する判断を行う。
【００１９】
以上のように構成された複合自動販売機について、以下その動作を説明する。
【００２０】
ＳＴＥＰ１では貨幣識別装置１によって投入された貨幣が識別され、識別データは演算制御部７ａに送られる。演算制御部７ａは投入金額に応じた販売可能ランプ（図示しない）が点灯する。ＳＴＥＰ２では購入者が点灯した販売可能ランプに該当する商品選択手段２を選択する。ＳＴＥＰ３では商品選択手段２の選択結果から、演算制御部７ａは選択商品に該当する商品収納室に配置されている封入容器飲料搬出手段３に搬出指示をすることにより該当商品を搬出する。
【００２１】
その後、ＳＴＥＰ４では演算制御部７ａが温度検知手段４により検知された温度が適温に達しているかどうかを判定し、購入された封入容器飲料が適温であると判定すれば終了する。
【００２２】
またＳＴＥＰ４で演算制御部７ａが購入された封入容器飲料が適温でないと判定した場合、カップ自販機側のカップ搬出手段５によりカップを搬出し（ＳＴＥＰ５）、氷搬出手段６により氷を搬出（ＳＴＥＰ６）することで、氷入りカップを購入者に提供する。
【００２３】
以上のように本実施の形態の複合自動販売機は、封入容器飲料と機内で調整した飲料の両方を提供可能とする複合自動販売機において、購入商品の選択を行う商品選択手段と、購入された封入容器飲料の搬出を行う封入容器飲料搬出手段と、封入容器飲料の温度を検知する温度検知手段と、氷入りカップの搬出を行うカップ搬出手段および氷搬出手段と、前記商品選択手段から出力される選択信号に従い前記カップ搬出手段および氷搬出手段を動作させる信号を出力する演算制御部とから構成され、この演算制御部は、前記商品選択手段から出力される信号に基づき購入された封入容器飲料が適温に達しているかどうかを前記温度検知手段により判定し、適温に達していなければ前記カップ搬出手段と氷搬出手段に信号を出力し、氷入りカップを搬出することにより、適温に達していない商品が販売された場合でも、適温の飲料を購入者に提供することができる。
【００２４】
（実施の形態２）
図３は本発明の実施の形態２による複合自動販売機の機能ブロック図である。図４は、同実施の形態の動作を示すフローチャートである。なお実施の形態１と同一構成のものは、同一符号を付してその詳細な説明を省略する。
【００２５】
図３、図４において，キャンセルボタン８は氷入りカップの搬出を停止するボタン、キャンセルボタンタイマー９はキャンセルボタンの有効設定を行うものである。
【００２６】
本実施の形態は、実施の形態１による複合自動販売機に、さらにキャンセルボタン８、キャンセルボタンタイマー９を設けたものである。
【００２７】
以上のように構成された複合自動販売機について、以下その動作を説明する。
【００２８】
販売動作において、ＳＴＥＰ１１からＳＴＥＰ１４までの動作は実施の形態１と同一であるため説明を省略する。
【００２９】
ＳＴＥＰ１４にて、演算制御部７ｂは温度検知手段４により検知した温度が適温に達していなければ、キャンセルボタン８を有効にするキャンセルボタンタイマー９により設定された時間の間にキャンセルボタン８を押すことにより氷入りカップ搬出動作を停止させる（ＳＴＥＰ１５）。
【００３０】
またキャンセルボタンタイマー９により設定された時間の間にキャンセルボタンが押されなければカップ自販機側のカップ搬出手段５によりカップを搬出し（ＳＴＥＰ１６）、氷搬出手段６により氷を搬出（ＳＴＥＰ１７）することで、氷入りカップを購入者に提供する。
【００３１】
以上のように本実施の形態の複合自動販売機によれば、実施の形態１の発明に、さらに、封入容器飲料搬出後に押すことでカップ搬出手段および氷搬出手段を停止させる信号を出力するキャンセルボタンを備えたものであり、適温に達していない商品が販売された場合でも、氷入りカップを搬出することで、適温の飲料を購入者に提供でき、また購入者が氷入りカップを希望しない場合はキャンセルすることができる。
【００３２】
（実施の形態３）
図５は本発明の実施の形態３による複合自動販売機の機能ブロック図である。図６、図７は、同実施の形態の動作を示すフローチャートである。なお実施の形態２と同一構成のものは、同一符号を付してその詳細な説明を省略する。
【００３３】
図５において，設定手段１０は封入容器飲料搬出後、氷入りカップ搬出機能を有効にする封入容器飲料を任意に設定する手段で例えばキーボードのようなものである。設定記憶手段１１は設定手段１０で設定した氷入りカップ搬出機能を有効にする封入容器飲料の種別を記憶する手段で、記憶媒体としてメモリ等が使用される。
【００３４】
本実施の形態は、実施の形態２による複合自動販売機に、さらに設定手段１０、設定記憶手段１１を設けたものである。
【００３５】
以上のように構成された複合自動販売機について、以下その動作を説明する。
【００３６】
まず図６において、ＳＴＥＰ２１で設定手段１０により、予め氷入りカップを提供する封入容器飲料を設定入力する。演算制御部７ｃは設定された情報を設定記憶手段１１に記憶する（ＳＴＥＰ２２）。
【００３７】
次に販売動作において、ＳＴＥＰ３１からＳＴＥＰ３４、およびＳＴＥＰ３６からＳＴＥＰ３８の動作は実施の形態２と同一であるため説明を省略する。
【００３８】
ＳＴＥＰ１３で飲料が適温かどうかの判断を行った後、ＳＴＥＰ３５では、演算制御部７ｃは設定手段１０により氷入りカップを提供する封入容器飲料に設定されているかどうかを判定する。
【００３９】
このとき購入された封入容器飲料が“氷入りカップを提供する”と設定されていなければ氷入りカップを提供せずに終了する。
【００４０】
また購入された封入容器飲料が“氷入りカップを提供する”と設定されている場合は、ＳＴＥＰ３６に進み、キャンセルボタンの動作を判定を行い、ＳＴＥＰ３７、ＳＴＥＰ３８で氷入カップの供給を行う。
【００４１】
以上のように本実施の形態の複合自動販売機によれば、実施の形態２に記載の発明に、さらに、氷入りカップ搬出機能を有効にする封入容器飲料を任意に設定できる設定手段を備えることで、管理者が特に販売したい飲料の提供を優先させることができる。
【００４２】
これは、飲料を補充後に直ぐに販売したい飲料を限定して販売することで、氷入りカップの供給数を販売したい飲料のために有効に利用することができる。
【００４３】
（実施の形態４）
図８は本発明の実施の形態４による複合自動販売機の機能ブロック図である。図９は、同実施の形態の動作を示すフローチャートである。なお実施の形態３と同一構成のものは、同一符号を付してその詳細な説明を省略する。
【００４４】
図７において，１２は氷の残量が所定量以下になれば封入容器飲料搬出後氷入りカップ搬出機能を停止するための氷残量検知手段である。
【００４５】
本実施の形態は、実施の形態３による複合自動販売機に、さらに氷残量検知手段１２を設けたものである。
【００４６】
以上のように構成された複合自動販売機について、以下その動作を説明する。
【００４７】
図８において、商品選択（ＳＴＥＰ４１）から氷入りカップ搬出（ＳＴＥＰ４８）の動作は実施の形態３と同一であるため説明を省略する。
【００４８】
氷入りカップを搬出した後、ＳＴＥＰ４９では氷残量検知手段１２により氷の残量が所定量以下であれば氷入りカップ搬出機能を停止する。これは例えば、設定記憶手段１１に記憶されている封入容器飲料から削除する等の方法がある。
【００４９】
以上のように本実施の形態の複合自動販売機によれば、実施の形態３に記載の発明に、さらに、カップ飲料を販売する自動販売機側の氷の残量が所定量以下になれば、氷入りカップ搬出機能を停止する氷残量検知手段を備えることで、封入飲料の販売時に氷入りカップの提供サービスを行いつつも、カップ飲料の販売時に氷切れ等の支障をきたすことなく氷入りカップ飲料を販売することができる。
【００５０】
（実施の形態５）
図１０は本発明の実施の形態５による複合自動販売機の機能ブロック図である。図１１、図１２は、同実施の形態の動作を示すフローチャートである。なお実施の形態４と同一構成のものは、同一符号を付してその詳細な説明を省略する。
【００５１】
図１０において，氷残量設定手段１３は氷入りカップとしての供給のための氷の残量について任意に設定できるものである。
【００５２】
本実施の形態は、実施の形態４による複合自動販売機に、さらに氷残量設定手段１３を設けたものである。
【００５３】
以上のように構成された複合自動販売機について、以下その動作を説明する。
【００５４】
まず図１１において、ＳＴＥＰ５１で氷残量設定手段１３により、氷入りカップとしての供給のための氷の残量について設定を行う。演算制御部７ｅは設定された情報を設定記憶手段１１ｂに記憶する（ＳＴＥＰ５２）。
【００５５】
次に販売動作のＳＴＥＰ６１からＳＴＥＰ６８においては実施の形態４と同一であるため説明を省略する。
【００５６】
ＳＴＥＰ６８の氷入りカップを搬出した後、ＳＴＥＰ６９では氷残量検知手段１２により氷の残量が設定記憶手段１１ｂに記憶された設定値以下であれば氷入りカップ搬出機能を停止する。これは例えば、設定記憶手段１１ｂに記憶されている封入容器飲料から削除する方法がある。
【００５７】
以上のように本実施の形態の複合自動販売機によれば、実施の形態４に記載の発明に、さらに、カップ飲料を販売する自動販売機側の氷の残量の所定量を任意に設定できる氷残量設定手段を備えることで、カップ飲料を販売する自動販売機側の氷の残量が設定値以下になれば、氷入りカップ搬出機能を停止することで、封入飲料の販売時に氷入りカップの提供サービスを行いつつも、カップ飲料の販売時に氷切れ等の支障をきたすことなく氷入りカップ飲料を販売することができる。
【００５８】
また、封入容器飲料、カップ飲料の販売量が、季節によって変わるために、その時に応じた氷残量を設定することができ、氷切れによる販売に支障をきたすことなく複合自動販売機の運営が可能となる。
【００５９】
（実施の形態６）
図１３は本発明の実施の形態６による複合自動販売機の機能ブロック図である。図１４は、同実施の形態の動作を示すフローチャートである。なお実施の形態５と同一構成のものは、同一符号を付してその詳細な説明を省略する。
【００６０】
図１３において，タイマー手段１４は一日の時間計数を行い封入容器飲料搬出後氷入りカップ搬出機能の有効時間帯、無効時間帯を設定できるである。
【００６１】
本実施の形態は、実施の形態５による複合自動販売機に、さらにタイマー手段１４を設けたものである。
【００６２】
以上のように構成された複合自動販売機について、以下その動作を説明する。
【００６３】
まず、タイマー手段１４には予め封入容器飲料搬出後の氷入りカップ搬出機能の有効時間帯、無効時間帯を設定されている。ここで、設定手段１０により氷入りカップ搬出機能の有効時間帯、無効時間帯の設定時間を設定記憶手段１１ｃに記憶設定することも可能である。
【００６４】
次に販売動作のＳＴＥＰ７１からＳＴＥＰ７３においては実施の形態５と同一であるため説明を省略する。
【００６５】
ＳＴＥＰ７４では、演算制御部７ｆはタイマー手段１４に設定されている時間帯を判断し、氷入りカップ搬出機能の無効時間帯であれば、ＳＴＥＰ８０に進み氷の残量判断を行う。
【００６６】
ＳＴＥＰ７４にて、タイマー手段が示す時間が氷入りカップ搬出機能の有効時間帯であれば、さらにＳＴＥＰ７５以降の動作に進み、氷入りカップを搬出するかどうかを判定する。
【００６７】
ここでＳＴＥＰ７５からＳＴＥＰ８１は実施の形態５の動作と同一のため説明を省略する。
【００６８】
以上のように本実施の形態の複合自動販売機によれば、実施の形態５に記載の発明に、さらに、一日の時間を計数し氷入りカップ搬出機能を無効にするタイマー手段を備えることにより、指定した時間以外では、氷入りカップを供給することなく、有効な時間帯に氷入りカップを搬出することができ、その結果、カップ飲料の販売が多い時間帯には、カップ飲料に氷を優先して使用することができ、複合自動販売機を効率よく運用することができる。
【００６９】
【発明の効果】
以上説明したように請求項１に記載の発明は、封入容器飲料と機内で調整した飲料の両方を提供可能とする複合自動販売機において、購入商品の選択を行う商品選択手段と、購入された封入容器飲料の搬出を行う封入容器飲料搬出手段と、封入容器飲料の温度を検知する温度検知手段と、その後氷入りカップの搬出を行うカップ搬出手段および氷搬出手段と、前記商品選択手段から出力される選択信号に従い前記カップ搬出手段および氷搬出手段を動作させる信号を出力する演算制御部とから構成され、この演算制御部は、前記商品選択手段から出力される信号に基づき購入された封入容器飲料が適温に達しているかどうかを前記温度検知手段により判定し、適温に達していなければ前記カップ搬出手段および氷搬出手段に信号を出力し、氷入りカップを搬出することで購入者に適温の飲料を提供することができる
また、請求項２に記載の発明は、請求項１に記載の発明に、さらに、キャンセルボタンを備え、氷入りカップ搬出機能を停止することができ、適温の商品の必要性のない購入者の意に促した商品提供も可能にすることができる。
【００７０】
また、請求項３に記載の発明は、請求項２に記載の発明に、さらに、封入容器飲料搬出後氷入りカップ搬出機能を有効にする封入容器飲料を任意に設定できる設定手段と前記設定手段で設定された情報を記憶する設定記憶手段を備えることにより、管理者が特に販売したい飲料の提供を優先させることができる。
【００７１】
また、請求項４に記載の発明は、請求項３に記載の発明に、さらに、カップ飲料を販売する自動販売機側の氷の残量が所定量以下になれば、氷入りカップ搬出機能を停止する氷残量検知手段を備えることにより、カップ飲料の販売に支障をきたすことなく氷入りカップの提供サービスを行うことができる。
【００７２】
また、請求項５に記載の発明は、請求項４に記載の発明に、さらに、氷の残量の所定量を任意に設定できる氷残量設定手段を備えることにより、季節による封入容器飲料、カップ飲料の販売量の変化に合わせて、無駄なく氷入りカップを搬出することを可能とすることができる。
【００７３】
また、請求項６に記載の発明は、請求項５に記載の発明に、さらに、一日の時間計数を行い、氷入りカップ搬出機能の有効無効を設定できるタイマー手段を備えることにより、指定した時間以外では、氷入りカップを供給することなく、有効な時間帯に氷入りカップを搬出することができ、その結果、カップ飲料の販売が多い時間帯には、カップ飲料に氷を優先して使用することができ、複合自動販売機を効率よく運用することができる。
【図面の簡単な説明】
【図１】本発明による複合自動販売機の実施の形態１の機能ブロック図
【図２】同実施の形態による複合自動販売機の動作を示すフローチャート
【図３】本発明による複合自動販売機の実施の形態２の機能ブロック図
【図４】同実施の形態による複合自動販売機の動作を示すフローチャート
【図５】本発明による複合自動販売機の実施の形態３の機能ブロック図
【図６】同実施の形態による複合自動販売機の動作を示すフローチャート
【図７】同実施の形態による複合自動販売機の動作を示すフローチャート
【図８】本発明による複合自動販売機の実施の形態４の機能ブロック図
【図９】同実施の形態による複合自動販売機の動作を示すフローチャート
【図１０】本発明による複合自動販売機の実施の形態５の機能ブロック図
【図１１】同実施の形態による複合自動販売機の動作を示すフローチャート
【図１２】同実施の形態による複合自動販売機の動作を示すフローチャート
【図１３】本発明による複合自動販売機の実施の形態６の機能ブロック図
【図１４】同実施の形態による複合自動販売機の動作を示すフローチャート
【符号の説明】
１  貨幣識別装置
２  商品選択手段
３  封入容器飲料搬出手段
４  温度検知手段
５  カップ搬出手段
６  氷搬出手段
７ａ，７ｂ，７ｃ，７ｄ，７ｅ，７ｆ  演算制御部
８  キャンセルボタン
９  キャンセルボタンタイマー
１０  設定手段
１１，１１ｂ，１１ｃ  設定記憶手段
１２  氷残量検知手段
１３  氷残量設定手段
１４  タイマー手段
【図１】
2004295615.tif 000003
【図２】
2004295615.tif 000004
【図３】
2004295615.tif 000005
【図４】
2004295615.tif 000006
【図５】
2004295615.tif 000007
【図６】
2004295615.tif 000008
【図７】
2004295615.tif 000009
【図８】
2004295615.tif 000010
【図９】
2004295615.tif 000011
【図１０】
2004295615.tif 000012
【図１１】
2004295615.tif 000013
【図１２】
2004295615.tif 000014
【図１３】
2004295615.tif 000015
【図１４】
2004295615.tif 000016